(57)【要約】【課題】照射時間を必要最小限にして眩しさを軽減する、さらには、サイズ判定精度の維持と眩しさ軽減のいずれを優先させるかを選択可能にする。【解決手段】原稿サイズ検出は、第１のサイズ検出方法では圧板１０５の閉じかけ時及び完全に閉じた後の２回に分けて行うが、第２のサイズ検出方法では、原稿照明光源６１７の立ち上がり特性を考慮し、圧板１０５の閉じかけ時における瞬時点灯のみで行う。サイズ検出は、複数の検出ポイントにおけるＣＣＤ５０５の読み取り値と判定基準レベル（閾値）との比較によりなされ、判定基準レベルは、第１のサイズ検出方法では、全検出ポイントで一律に０ｘ１００に設定されるが、第２のサイズ検出方法では、閉じかけ時の読み値を考慮して、検出ポイントＰ０でのみ０ｘ１００に設定され、その他の検出ポイントでは０ｘ５０に設定される。【選択図】　　図１０
2004032075.tif 000002
【特許請求の範囲】
【請求項１】
原稿台に載置された原稿を照射する照射手段と、
前記照射手段による照射光に基づく反射光を読み取る読み取り手段と、
前記読み取り手段により読み取られた読み取り値に基づいて、前記原稿のサイズを判定するサイズ判定手段とを有し、
前記照射手段による照射時間は、該照射手段の立ち上がり特性に基づいて設定されることを特徴とする画像読み取り装置。
【請求項２】
前記サイズ判定手段は、判定閾値と前記読み取り値との比較により前記原稿のサイズを判定し、前記判定閾値は、前記原稿台に前記原稿が載置されていない状態で前記読み取り手段により読み取られた読み取り値に基づいて設定されることを特徴とする請求項１記載の画像読み取り装置。
【請求項３】
前記照射手段による照射は、圧板の閉じかけ時に行われ、前記読み取り手段による前記反射光の読み取りは、複数の読み取り位置で行われ、前記判定閾値は、第１の読み取り位置よりも、前記圧板の閉じかけ時における前記圧板と前記原稿台との距離が前記第１の読み取り位置より遠い第２の読み取り位置の方が低い値に設定されることを特徴とする請求項２記載の画像読み取り装置。
【請求項４】
原稿台に載置された原稿を照射する照射手段と、
前記照射手段による照射光に基づく反射光を読み取る読み取り手段と、
第１モードで、前記照射手段により照射され前記読み取り手段により読み取られた読み取り値に基づいて、前記原稿のサイズを判定する第１サイズ判定手段と、
第１モードとは異なる第２モードで、前記照射手段により照射され前記読み取り手段により読み取られた読み取り値に基づいて、前記原稿のサイズを判定する第２サイズ判定手段と、
前記第１モードと前記第２モードのいずれを適用するかを選択するモード選択手段とを有することを特徴とする画像読み取り装置。
【請求項５】
前記第２モードでは、前記第１モードに比し、前記照射手段による照射時間が短いことを特徴とする請求項４記載の画像読み取り装置。
【請求項６】
前記第２モードにおける前記照射手段による照射時間は、該照射手段の立ち上がり特性に基づいて設定されることを特徴とする請求項５記載の画像読み取り装置。
【請求項７】
前記第２サイズ判定手段は、判定閾値と前記読み取り値との比較により前記原稿のサイズを判定し、前記判定閾値は、前記原稿台に前記原稿が載置されていない状態で前記読み取り手段により読み取られた読み取り値に基づいて設定されることを特徴とする請求項４〜６のいずれか１項に記載の画像読み取り装置。
【請求項８】
前記照射手段による照射は、圧板の閉じかけ時に行われ、前記読み取り手段による前記反射光の読み取りは、複数の読み取り位置で行われ、前記判定閾値は、第１の読み取り位置よりも、前記圧板の閉じかけ時における前記圧板と前記原稿台との距離が前記第１の読み取り位置より遠い第２の読み取り位置の方が低い値に設定される請求項７記載の画像読み取り装置。
【請求項９】
原稿台に載置された原稿を照射する照射ステップと、
前記照射ステップによる照射光に基づく反射光を読み取る読み取りステップと、
前記読み取りステップにより読み取られた読み取り値に基づいて、前記原稿のサイズを判定するサイズ判定ステップとを有し、
前記照射ステップによる照射時間は、該照射ステップの立ち上がり特性に基づいて設定されることを特徴とする画像読み取り装置の制御方法。
【請求項１０】
原稿台に載置された原稿を照射する照射ステップと、
前記照射ステップによる照射光に基づく反射光を読み取る読み取りステップと、
第１モードで、前記照射ステップにより照射され前記読み取りステップにより読み取られた読み取り値に基づいて、前記原稿のサイズを判定する第１サイズ判定ステップと、
第１モードとは異なる第２モードで、前記照射ステップにより照射され前記読み取りステップにより読み取られた読み取り値に基づいて、前記原稿のサイズを判定する第２サイズ判定ステップと、
前記第１モードと前記第２モードのいずれを適用するかを選択するモード選択ステップとを有することを特徴とする画像読み取り装置の制御方法。
【請求項１１】
画像読み取り装置の制御プログラムであって、
原稿台に載置された原稿を照射する照射ステップと、
前記照射ステップによる照射光に基づく反射光を読み取る読み取りステップと、
前記読み取りステップにより読み取られた読み取り値に基づいて、前記原稿のサイズを判定するサイズ判定ステップとをコンピュータに実行させるためのプログラムであり、
前記照射ステップによる照射時間は、該照射ステップの立ち上がり特性に基づいて設定されることを特徴とする画像読み取り装置の制御プログラム。
【請求項１２】
画像読み取り装置の制御プログラムであって、
原稿台に載置された原稿を照射する照射ステップと、
前記照射ステップによる照射光に基づく反射光を読み取る読み取りステップと、
第１モードで、前記照射ステップにより照射され前記読み取りステップにより読み取られた読み取り値に基づいて、前記原稿のサイズを判定する第１サイズ判定ステップと、
第１モードとは異なる第２モードで、前記照射ステップにより照射され前記読み取りステップにより読み取られた読み取り値に基づいて、前記原稿のサイズを判定する第２サイズ判定ステップと、
前記第１モードと前記第２モードのいずれを適用するかを選択するモード選択ステップとをコンピュータに実行させることを特徴とする画像読み取り装置の制御プログラム。
【請求項１３】
画像読み取り装置の制御プログラムを記憶したコンピュータ読み取り可能な記憶媒体であって、
原稿台に載置された原稿を照射する照射ステップと、
前記照射ステップによる照射光に基づく反射光を読み取る読み取りステップと、
前記読み取りステップにより読み取られた読み取り値に基づいて、前記原稿のサイズを判定するサイズ判定ステップとをコンピュータに実行させるためのプログラムを記憶し、
前記照射ステップによる照射時間は、該照射ステップの立ち上がり特性に基づいて設定されることを特徴とする記憶媒体。
【請求項１４】
画像読み取り装置の制御プログラムを記憶したコンピュータ読み取り可能な記憶媒体であって、
原稿台に載置された原稿を照射する照射ステップと、
前記照射ステップによる照射光に基づく反射光を読み取る読み取りステップと、
第１モードで、前記照射ステップにより照射され前記読み取りステップにより読み取られた読み取り値に基づいて、前記原稿のサイズを判定する第１サイズ判定ステップと、
第１モードとは異なる第２モードで、前記照射ステップにより照射され前記読み取りステップにより読み取られた読み取り値に基づいて、前記原稿のサイズを判定する第２サイズ判定ステップと、
前記第１モードと前記第２モードのいずれを適用するかを選択するモード選択ステップとをコンピュータに実行させるプログラムを記憶したことを特徴とする記憶媒体。
【発明の詳細な説明】
【０００１】
【発明の属する技術の分野】
本発明は、原稿サイズを検出して原稿の読み取りを行う画像読み取り装置及びその制御方法、プログラム並びに記憶媒体に関する。
【０００２】
【従来の技術】
従来、原稿台上の原稿を読み取る際に、原稿サイズを検出するようにした画像読み取り装置が知られている。この装置では例えば、、主走査方向については原稿照射用のランプで照射を行い、その反射光をＣＣＤ等の読み取り手段で読み取ったデータを用いて原稿サイズを判定し、副走査方向については、サイズ検知センサを設けて、サイズ検知センサによりサイズを判定することで、全体としての原稿サイズを検出するようにしている。この手法では、従来以前の装置のように、主副走査方向共にサイズ検知センサで読み取ってサイズ判定する手法に比べ、主走査方向用のセンサを設けなくてもよいため、コスト低減には有利である。
【０００３】
【発明が解決しようとする課題】
しかしながら、上記従来の画像読み取り装置では、サイズ判定をする際、例えば、圧板の閉じかけから完全に閉じるまでの間、主走査方向に関するサイズを判定するためにランプが点灯されるため、ランプの照射光が眩しいという問題があった。
【０００４】
一方、ランプの照射光の眩しさを軽減するために、照射時間を短くしたり、照射光の強さを弱くしたりすることが考えられるが、一律にそのようにすると、サイズ判定精度が悪化するおそれがある。
【０００５】
本発明は上記従来技術の問題を解決するためになされたものであり、その第１の目的は、照射時間を必要最小限にして眩しさを軽減することができる画像読み取り装置及びその制御方法、プログラム並びに記憶媒体を提供することにある。
【０００６】
また、本発明の第２の目的は、サイズ判定精度の維持と眩しさ軽減のいずれを優先させるかを選択することができる画像読み取り装置及びその制御方法、プログラム並びに記憶媒体を提供することにある。
【０００７】
【課題を解決するための手段】
上記第１の目的を達成するために本発明の請求項１の画像読み取り装置は、原稿台に載置された原稿を照射する照射手段と、前記照射手段による照射光に基づく反射光を読み取る読み取り手段と、前記読み取り手段により読み取られた読み取り値に基づいて、前記原稿のサイズを判定するサイズ判定手段とを有し、前記照射手段による照射時間は、該照射手段の立ち上がり特性に基づいて設定されることを特徴とする。
【０００８】
上記第２の目的を達成するために本発明の請求項４の画像読み取り装置は、原稿台に載置された原稿を照射する照射手段と、前記照射手段による照射光に基づく反射光を読み取る読み取り手段と、第１モードで、前記照射手段により照射され前記読み取り手段により読み取られた読み取り値に基づいて、前記原稿のサイズを判定する第１サイズ判定手段と、第１モードとは異なる第２モードで、前記照射手段により照射され前記読み取り手段により読み取られた読み取り値に基づいて、前記原稿のサイズを判定する第２サイズ判定手段と、前記第１モードと前記第２モードのいずれを適用するかを選択するモード選択手段とを有することを特徴とする。
【０００９】
上記第１の目的を達成するために本発明の請求項９の画像読み取り装置の制御方法は、原稿台に載置された原稿を照射する照射ステップと、前記照射ステップによる照射光に基づく反射光を読み取る読み取りステップと、前記読み取りステップにより読み取られた読み取り値に基づいて、前記原稿のサイズを判定するサイズ判定ステップとを有し、前記照射ステップによる照射時間は、該照射ステップの立ち上がり特性に基づいて設定されることを特徴とする。
【００１０】
上記第２の目的を達成するために本発明の請求項１０の画像読み取り装置の制御方法は、原稿台に載置された原稿を照射する照射ステップと、前記照射ステップによる照射光に基づく反射光を読み取る読み取りステップと、第１モードで、前記照射ステップにより照射され前記読み取りステップにより読み取られた読み取り値に基づいて、前記原稿のサイズを判定する第１サイズ判定ステップと、第１モードとは異なる第２モードで、前記照射ステップにより照射され前記読み取りステップにより読み取られた読み取り値に基づいて、前記原稿のサイズを判定する第２サイズ判定ステップと、前記第１モードと前記第２モードのいずれを適用するかを選択するモード選択ステップとを有することを特徴とする。
【００１１】
上記第１の目的を達成するために本発明の請求項１１の画像読み取り装置の制御プログラムは、画像読み取り装置の制御プログラムであって、原稿台に載置された原稿を照射する照射ステップと、前記照射ステップによる照射光に基づく反射光を読み取る読み取りステップと、前記読み取りステップにより読み取られた読み取り値に基づいて、前記原稿のサイズを判定するサイズ判定ステップとをコンピュータに実行させるためのプログラムであり、前記照射ステップによる照射時間は、該照射ステップの立ち上がり特性に基づいて設定されることを特徴とする。
【００１２】
上記第２の目的を達成するために本発明の請求項１２の画像読み取り装置の制御プログラムは、画像読み取り装置の制御プログラムであって、原稿台に載置された原稿を照射する照射ステップと、前記照射ステップによる照射光に基づく反射光を読み取る読み取りステップと、第１モードで、前記照射ステップにより照射され前記読み取りステップにより読み取られた読み取り値に基づいて、前記原稿のサイズを判定する第１サイズ判定ステップと、第１モードとは異なる第２モードで、前記照射ステップにより照射され前記読み取りステップにより読み取られた読み取り値に基づいて、前記原稿のサイズを判定する第２サイズ判定ステップと、前記第１モードと前記第２モードのいずれを適用するかを選択するモード選択ステップとをコンピュータに実行させることを特徴とする。
【００１３】
上記第１の目的を達成するために本発明の請求項１３の記憶媒体は、画像読み取り装置の制御プログラムを記憶したコンピュータ読み取り可能な記憶媒体であって、原稿台に載置された原稿を照射する照射ステップと、前記照射ステップによる照射光に基づく反射光を読み取る読み取りステップと、前記読み取りステップにより読み取られた読み取り値に基づいて、前記原稿のサイズを判定するサイズ判定ステップとをコンピュータに実行させるためのプログラムを記憶し、前記照射ステップによる照射時間は、該照射ステップの立ち上がり特性に基づいて設定されることを特徴とする。
【００１４】
上記第２の目的を達成するために本発明の請求項１４の記憶媒体は、画像読み取り装置の制御プログラムを記憶したコンピュータ読み取り可能な記憶媒体であって、原稿台に載置された原稿を照射する照射ステップと、前記照射ステップによる照射光に基づく反射光を読み取る読み取りステップと、第１モードで、前記照射ステップにより照射され前記読み取りステップにより読み取られた読み取り値に基づいて、前記原稿のサイズを判定する第１サイズ判定ステップと、第１モードとは異なる第２モードで、前記照射ステップにより照射され前記読み取りステップにより読み取られた読み取り値に基づいて、前記原稿のサイズを判定する第２サイズ判定ステップと、前記第１モードと前記第２モードのいずれを適用するかを選択するモード選択ステップとをコンピュータに実行させるプログラムを記憶したことを特徴とする。
【００１５】
【発明の実施の形態】
以下、本発明の実施の形態を図面を参照して説明する。
【００１６】
図１は、本発明の一実施の形態に係る画像読み取り装置の外観図である。
【００１７】
１０１は画像読み取り装置の枠体（フレーム）を示している。１０５は原稿が浮かない様に押し付ける圧板であり、場合により圧板１０５に代えて不図示の原稿給送装置を用いることもできる。１０６は圧板１０５が閉じられる時に押し込まれる圧板検出レバーであり、押し込まれることによって後述する圧板センサ６１３を切り、圧板１０５が所定角度より閉じられた状態にあることが圧板センサ６１３により検出される。１０４は原稿を走査する第１ミラー台であり、キセノン管やハロゲンランプ等で構成される後述する原稿照明光源６１７（照射手段）と不図示の反射ミラーとによって構成されている。１０７は第１ミラー台１０４で照明された原稿からの反射光を後述するＣＣＤ５０５（読み取り手段）に導くための開口部である。１０２、１０３は、いずれも、後述する反射型原稿サイズ検出センサ６１４、６１５用の検出窓である。
【００１８】
次に、主走査方向の原稿サイズ（以下、「原稿主走査幅」と称する）を、ＣＣＤ５０５の読み取り値（読み値）から判定し、副走査方向の原稿サイズ（以下、「原稿幅走査幅」と称する）を、反射型原稿サイズ検知センサで検出する場合の構成を、図２、図３を用いて説明する。
【００１９】
図２は、ＡＢ系（Ａ３、Ｂ５サイズ等）の原稿を画像読み取り装置にセットした場合のレイアウトを示す図である。原稿主走査幅を読み取る際には、第１ミラー台１０４が画先よりも原稿内側に移動していなければならないので、第１ミラー台１０４は、原稿端から１０〜２０ｍｍ程度の内側の、原稿サイズ検出位置２０８で読み取るように配置されている。この位置２０８で原稿主走査幅を読み取るためには、検出ポイントＰ２、Ｐ３、Ｐ４、Ｐ６、Ｐ８に対応するＣＣＤ５０５の位置での読み取り値を元に、反射型原稿サイズ検出センサ６１４の出力の検出結果と併せて原稿主走査幅を検出することになる。
【００２０】
２０９は、反射型原稿サイズ検出センサ６１４を配置可能な領域を示す。例えば、検出ポイントＰ２、Ｐ３、Ｐ４の検出ポイントが原稿検出され、反射型原稿サイズ検出センサ６１４の出力でも原稿検出されれば、サイズ検出結果はＡ４Ｒ原稿となる。
【００２１】
図３は、インチ系の原稿を画像読み取り装置にセットした場合のレイアウトを示す図である。インチ系の用紙サイズの主なものは、同図に示すように、主走査原稿幅が３種類である。そのため、検出ポイントＰ１、Ｐ５、Ｐ７での読み取り値を元に、反射型原稿サイズ検出センサ６１４、６１５の検出結果と併せて原稿主走査幅を検出することになる。３０７は反射型原稿サイズ検出センサ６１４を配置可能な領域を示し、３０８は反射型原稿サイズ検知センサ６１５を配置可能な領域を示す。
【００２２】
図４は、原稿サイズ判定を行う際の原稿載置状態を示す外観図である。
【００２３】
同図では、検出窓１０２において原稿４０１が検出されている状態が示されている。また、原稿４０１の原稿主走査幅を超える領域部分４０２では、第１ミラー台１０４からの照射光の一部が原稿４０１を照射することなく上方に漏れ、この漏れた光はオペレータの目に直接入り得、眩しい場合がある。
【００２４】
図５は、原稿主走査幅の検出方法を示す概念図である。
【００２５】
５０１は原稿台ガラスを示しており、第１ミラー台１０４は、原稿台ガラス５０１の下方に配置される。位置を同図左方にずらして示しているが、ＭＰが主走査における検出ポイント群である。反射光は、光学レンズ５０４を介してＣＣＤ５０５に結像する。５０６はＣＣＤ５０５の画素列をイメージしたものである。検出ポイント群ＭＰのある検出ポイントで読み取りを行う場合、原稿幅の開始位置５０７を基準に主走査解像度から導かれる画素数分離れた位置５０８の画素からｎ画素分の平均値をもって、その検出ポイントの読み取り値に当てられる。
【００２６】
図６は、本画像読み取り装置の原稿サイズ検出に関する要素を示すブロック図である。
【００２７】
同図において、６０９は本装置全体の制御を司るＣＰＵ（サイズ判定手段、第１、第２サイズ判定手段）であり、ＲＡＭ／ＲＯＭ６１１より読み取った制御プログラムに基づいてクロックジェネレータ６１０を設定し、ドライバ６０２やアナプロ（アナログプロセッサ）６０３、Ａ／Ｄコンバータ６０４、シェーディング補正部６０５にクロックを供給する。本構成では、ＣＰＵ６０９のポートに直結した圧板センサ６１３の出力に従い、クロックジェネレータ６１０からのクロックが出力され、ＣＣＤ５０５が駆動される。また、圧板センサ６１３がＯＮされることによって、インバータ６１６に点灯制御信号が入力され、原稿照明光源６１７が点灯する。同時に、ＣＰＵ６０９は、反射型原稿サイズ検出センサ６１４、６１５も制御し、ラインメモリ６０６に供給された値から演算した所定画素のｎ画素平均回路６０８によって算出された値と、ＲＡＭ／ＲＯＭ６１１内の内容とを参照し、原稿検出結果を判定する。表示装置６１２（モード選択手段）は、各種情報を画面表示する。
【００２８】
図７は、ＡＢ系の原稿サイズ検出の検出結果の一例（同図（ａ））及び本装置の左端部を示す図（同図（ｂ））である。同図（ｂ）において、Ｐ０は、原稿突き当て位置の検出ポイントであり、原稿の有無を判別するための検出ポイントである。
【００２９】
検出ポイントＰ０〜Ｐ８のうち、反射光がどこまで検出されたかによって原稿サイズが判定される。ＡＢ系では特に、検出ポイントＰ０、Ｐ２、Ｐ３、Ｐ４、Ｐ６、Ｐ８のみが原稿サイズ検出に用いられる。なお、「−」の欄の情報は無視される。検出ポイントＰ０も含めていずれの検出ポイントでも反射光が検出されない場合には、載置原稿なしと判定される。向きに応じて、主走査方向の検出でどの検出ポイントを使うかも変わってくる。
【００３０】
例えば、反射型原稿サイズ検出センサ６１４が未検出である場合に、検出ポイントＰ４までが検出された場合は、原稿サイズは「Ａ５」と判定される。また、反射型原稿サイズ検出センサ６１４が既検出である場合に、検出ポイントＰ６までが検出された場合は、原稿サイズは「Ｂ４」と判定される。
【００３１】
まず、第１の原稿サイズ検出手法（第１モード）を説明する。第１の原稿サイズ検出手法では、圧板１０５の閉じかけ時及び完全に閉じた後の２回に分けて、サイズ検出がなされる。
【００３２】
図８は、本装置の側面図（同図（ａ））、白原稿である場合の検出結果（同図（ｂ））及び黒原稿である場合の検出結果（同図（ｃ））である。
【００３３】
同図（ａ）に示すように、原稿４０１は、原稿台ガラス５０１上に載置される。圧板１０５が閉じられると、Ｆ１方向に圧板センサ６１３が切られ、圧板１０５の閉じかけが検出される。続いて、検出ポイント群ＭＰにて反射型原稿サイズ検出センサ６１４が検出動作を開始し、動作開始から約２００ｍｓｅｃ間隔で所定時間、検出動作を繰り返す。「圧板１０５の閉じかけ時と完全に閉じた時とでは原稿以外の部分のみ検出結果が異なる」という現象を利用することより、原稿サイズ判定が可能である。ただし、原稿４０１が白原稿であるか、黒原稿であるかによって、態様が相違する。
【００３４】
「○」が原稿検出されたこと、「×」が原稿検出されなかったことをそれぞれ示す。原稿検出は、ＣＣＤ５０５の読み取り値と判定基準レベル（判定閾値）との比較によりなされ、判定基準レベルは、１６進数表記で例えば０ｘ１００に設定されている。
【００３５】
例えば、同図（ｂ）、（ｃ）共に、副走査、及び検出ポイントＰ７、Ｐ８の結果が、閉じかけ時と完全閉じ時（圧板閉状態時）とで異なり、つまりその部分には原稿が存在しないと判断できる。また、閉じかけ時と完全閉じ時とで結果が同じ部分は、原稿があると判断できる。これは、原稿がある場合には、閉じかけであろうが完全に閉じていようが、原稿４０１があればその反射光が検出されるが、原稿４０１が無い場合には、閉じかけ時には反射光は帰ってこず、完全に閉じた時には圧板１０５の白い裏面８０４に反射した光が検出されるからである。
【００３６】
このようにして、第１の原稿サイズ検出手法では、白原稿及び黒原稿の両者のサイズを判定できる。なお、同図（ｂ）、（ｃ）の例では、どちらも判定結果はＢ５サイズとなる。
【００３７】
しかしながら、この第１のサイズ検出手法では、圧板１０５の閉じかけから完全閉じまで、実際には閉じかけから完全に閉じたであろうと思われる約３秒間に亘って検出動作を行っているため、その間、原稿照明光源６１７による照射をしなければならず、オペレータによっては眩しいと感じることがある。そのため、本実施の形態では、次に説明するように、眩しさを低減する「瞬時点灯」のみで原稿サイズ検出を行う第２のサイズ検出方法（第２モード）を採用可能に構成する。
【００３８】
次に、第２のサイズ検出方法を説明する。第２のサイズ検出方法は、圧板１０５の閉じかけ時のみの検出情報に基づきサイズ検出を行うことで、眩しさを低減するものである。図８（ｂ）、（ｃ）からわかるように、白原稿については閉じかけ時の検出情報のみで原稿サイズを判定可能であるが、黒色あるいは濃色の原稿については、閉じかけ時の検出情報のみでは検出ができない。
【００３９】
第２のサイズ検出方法においては、原稿照明光源６１７の点灯時間及びサイズ判定精度が第１のサイズ検出方法と異なる。これらを図９、図１０を用いて説明する。
【００４０】
図９は、原稿照明光源６１７、ＣＣＤ５０５及びその周辺回路の特性を示す図である。
【００４１】
横軸は時間、縦軸は照度を示している。９０１は、特にキセノン管の立ち上がり特性を示し、若干のばらつきを含むが、立ち上がりから３０ｍｓｅｃ前後経過した時刻ｔ２において、安定光量に達する。なお、厳密にはその後時間を掛けて緩やかに照度が下がり安定する。９０３は、ＣＣＤ５０５及びその周辺回路の立ち上がり特性である。これも、使用されるＣＣＤ５０５や周辺回路によって時間的なばらつきは生じるが、同図の例では、１０ｍｓｅｃ程度経過した時刻ｔ２で起動がかかっている。
【００４２】
これらから、圧板センサ６１３が時刻ｔ０のタイミングでＯＮされてから３０ｍｓｅｃ経過後に原稿サイズ検出動作を行えば、原稿照明光源６１７の点灯時間は僅か３０ｍｓｅｃ＋α（αは例えば数ｍｓｅｃ）程度で済むことがわかる。つまり、一回の点灯で検出が済めば、３０ｍｓｅｃ＋αの間のみしか点灯されず、５秒間程度点灯される第１のサイズ検出手法と比べ、眩しさが格段に低減する。
【００４３】
図１０（ａ）は、代表的な原稿の読み取りレベルを示す図、図１０（ｂ）は、読み取り値と判定基準レベルとの関係を示す図である。
【００４４】
同図１０（ａ）では、原稿種毎に、各々１０ｂｉｔの読み値のデータが１６進数表記を用いて表示されている。この読み値と判定基準レベルとの大小関係から、その原稿種の原稿濃度が、サイズ検出可能なレベルであるかどうかが定まる。例えば、判定基準レベルを０ｘ５０Ｈｅｘ程度にすれば、輝度濃度Ｄ１．３まで検出ができ、実際に市場で使われる９９．９％の原稿の検出が可能となる。
【００４５】
しかしながら判定基準レベルを一様に０ｘ５０に設定すると、以下の理由により誤検出が起こり得る。
【００４６】
まず、図１０（ｂ）に示す１００２は、原稿４０１が原稿台ガラス５０１上に載置されていなかった場合において、圧板１０５が閉じかけとなった時のＣＣＤ５０５の読み値である。読み値は、検出ポイントＰ０では０ｘ６０であるのに、検出ポイントＰ１では０ｘ３０を示している。これは、閉じかけ状態にある圧板１０５とＣＣＤ５０５とが、検出ポイントＰ０では極めて近接しており、検出ポイントＰ１でも、その他の検出ポイントと比べれば近接しているため、圧板１０５の裏側での反射光が、距離の近い検出ポイントＰ０、Ｐ１では読み値が高くなるからである。
【００４７】
また、１００１は、第１のサイズ検知手法で採用される判定基準レベルであり、０ｘ１００である。第１のサイズ検知手法で判定基準レベルを０ｘ１００に設定しているのは、原稿が載置されていない場合に検出ポイントＰ０における０ｘ６０の値を読んでしまうことで「原稿がある」と誤検知することを回避するためであり、マージンを含めて０ｘ１００に設定したものである。
【００４８】
従って、第１のサイズ検知手法では、図８で説明したように、濃い原稿もサイズの検知が可能である。しかし、第２のサイズ検出方法では、圧板１０５の閉じかけ時における瞬時点灯のみでサイズ検出を行う必要があるために、判定基準レベルを下げる必要がある。そこで、第２のサイズ検出方法では、１００３で示すように、判定基準レベルは、検出ポイントＰ０でのみ０ｘ１００に設定し、その他の検出ポイントでは０ｘ５０に設定するようにしている。
【００４９】
この第２のサイズ検出方法では、Ｄ１．３より濃い原稿は精度よく検出できない。従って、第２のサイズ検出方法でのサイズ判定精度は、理論的にどの濃度も検出可能な第１のサイズ検知手法と比べれば若干劣る。しかし、第１のサイズ検知手法と比べ、原稿照明光源６１７の点灯時間が短いため、眩しさは低減される。
【００５０】
このように、第１のサイズ検知手法では、眩しいが多くの濃度の原稿についてサイズ判定が精度よくできるという利点があり、第２のサイズ検出方法では、限られた濃度の原稿しかサイズ判定できないが眩しさが低減されるという利点がある。従って、両者にはいわば一長一短がある。そこで、本実施の形態では、両手法を実施可能に構成すると共に、手法を選択的に切り替え可能に構成する。
【００５１】
図１１は、表示装置６１２に画面表示されるサービスモード設定画面の一例を示す図である。この画面は、不図示の操作部よりサービスモードの設定が選択されたときに表示される。
【００５２】
同図において、１１０１、１１０２はサービス項目欄であり、サービス項目として、サイズ検知瞬時点灯モード及び静音モードが設けられている。サイズ検知瞬時点灯モードは上述した第２のサイズ検出方法の適用可否を設定するための項目であり、また、静音モードは、騒音が気になる部分の制御を調整するための項目である。なお、静音モードの詳細説明は省略する。
【００５３】
サイズ検知瞬時点灯モードは、ＯＮ／ＯＦＦボタン１１０１ａ、１１０１ｂでそのＯＮ／ＯＦＦが選択される。静音モードは、ＯＮ／ＯＦＦボタン１１０２ａ、１１０２ｂでそのＯＮ／ＯＦＦが選択される。各ボタンは白黒反転表示され、各項目共に、ＯＮまたはＯＦＦのうち選択状態にある方が黒表示される。押された方が選択され、その逆が非選択状態になる。１１０３はキャンセルボタンであり、このボタン１１０３が押されると設定を行わず元に戻る。１１０４はＯＫボタンでありこのボタン１１０４が押されると、ＯＮ／ＯＦＦボタン１１０１ａ、１１０１ｂ、１１０２ａ、１１０２ｂの選択状態にて設定がなされる。
【００５４】
図１２は、本実施の形態におけるサイズ検知モード設定処理のフローチャートを示す図である。同処理は、ＯＫボタン１１０４が押されたとき呼ばれるシーケンスである。
【００５５】
まず、ステップＳ１２０１では、図１１に示すＯＮボタン１１０１ａにより、サイズ検知瞬時点灯モードがオンに設定されているか否かを判別し、オフである場合は、ステップＳ１２０４に進み、すべての検出ポイントにおける閾値、すなわち判定基準レベルを０ｘ１００に設定する（図１０の判定基準レベル１００１）。次に、サイズ検知モードを「サイズ検知瞬時点灯モード」ではなくノーマルモードに設定して（ステップＳ１２０５）、本処理を終了する。
【００５６】
一方、前記ステップＳ１２０１の判別の結果、サイズ検知瞬時点灯モードがオンである場合は、閾値、すなわち判定基準レベルを、検出ポイントＰ１については０ｘ１００に、その他の検出ポイントについては０ｘ６０に設定する（ステップＳ１２０２）（図１０の判定基準レベル１００３）。次に、サイズ検知モードを「サイズ検知瞬時点灯モード」に設定して（ステップＳ１２０３）、本処理を終了する。
【００５７】
図１３は、本実施の形態における原稿サイズ判定処理のフローチャートを示す図である。本処理は、圧板１０５が開いていることが検知された時点（圧板センサ６１３がオフを検知した時点）で実行される。
【００５８】
まず、圧板１０５の閉じかけを検知したか（圧板センサ６１３がオンされたか）否かを判別し（ステップＳ１３０１）、閉じかけを検知するまで、少しのウェイト期間をおいてその判別を繰り返し、閉じかけを検知した場合は、ランプＯＮ、すなわち、原稿照明光源６１７を点灯させ（ステップＳ１３０２）、ＣＣＤ５０５の読み取り値に基づく原稿サイズの検知結果を取得する（ステップＳ１３０３）。
【００５９】
次に、サイズ検知モードが「サイズ検知瞬時点灯モード」に設定されているか否かを判別し（ステップＳ１３０４）、サイズ検知瞬時点灯モードに設定されている場合は、第２のサイズ検出方法により、前記ステップＳ１３０３で取得した検知結果に従って原稿サイズを判定結果として確定し（ステップＳ１３０５）、ランプＯＦＦ、すなわち、原稿照明光源６１７を消灯させて（ステップＳ１３０６）、本処理を終了する。これにより、原稿照明光源６１７の点灯時間が短くて済むので、眩しさが軽減される。
【００６０】
一方、前記ステップＳ１３０４の判別の結果、サイズ検知瞬時点灯モードに設定されていない場合は、ノーマルモードであるので、２００ｍｓｅｃウェイトした後（ステップＳ１３０７）、再度、ＣＣＤ５０５の読み取り値に基づく原稿サイズの検知結果を取得して（ステップＳ１３０８）、圧板１０５の閉じかけを検知してから３秒以上が経過したか否かを判別する（ステップＳ１３０９）。
【００６１】
その判別の結果、３秒以上が経過していない場合は、前記ステップＳ１３０７に戻る一方、３秒以上が経過した場合は、第１のサイズ検出方法により、前記ステップＳ１３０３で取得した検知結果と前記ステップＳ１３０８で取得した検知結果とに基づいて原稿サイズを判定結果として確定する（ステップＳ１３１０）。これにより、高い精度で原稿サイズ検出がなされる。次に、ランプＯＦＦ、すなわち、原稿照明光源６１７を消灯させて（ステップＳ１３１１）、本処理を終了する。
【００６２】
本実施の形態によれば、第２のサイズ検出方法によって、圧板１０５の閉じかけ時にのみ原稿照明光源６１７を点灯させて原稿サイズを判定し、その照射時間は、原稿照明光源６１７の立ち上がり特性に基づいて設定されるので、照射時間を必要最小限にして眩しさを軽減することができる。さらに、原稿検出は、ＣＣＤ５０５の読み取り値と判定基準レベル（閾値）との比較によりなされ、判定基準レベルは、圧板１０５が閉じかけとなった時のＣＣＤ５０５の読み値に基づいて設定され、しかも、圧板１０５の閉じかけ時における圧板１０５と原稿台ガラス５０１との距離が近い検出ポイントＰ０でのみ０ｘ１００に設定され、その他の検出ポイントでは０ｘ５０に設定されたので、圧板１０５による反射光に起因する原稿サイズの誤判定を少なくし、ある程度の濃度までは正確にサイズ検出を可能にすることができる。
【００６３】
また、精度重視の第１のサイズ検出方法と眩しさ軽減重視の第２のサイズ検出方法とを任意に選択可能に構成したので、サイズ判定精度の維持と眩しさ軽減のいずれを優先させるかを選択することができ、使い勝手を向上させることができる。
【００６４】
なお、上述した実施の形態の機能を実現するソフトウェアのプログラムコードを記録した記憶媒体を本装置に供給し、そのコンピュータ（またはＣＰＵやＭＰＵ）が記憶媒体に格納されたプログラムコードを読み出し実行することによっても、本発明の目的が達成されることはいうまでもない。
【００６５】
この場合、記憶媒体から読み出されたプログラムコード自体が本発明の新規な機能を実現することになり、そのプログラムコードを記憶した記憶媒体は本発明を構成することになる。また、プログラムコードが電送媒体等を介して供給される場合は、プログラムコード自体が本発明を構成することになる。
【００６６】
プログラムコードを供給するための記憶媒体として、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００６７】
また、コンピュータが読み出したプログラムコードを実行することにより上述した実施の形態の機能が実現されるだけでなく、そのプログラムコードの指示に基づいて、コンピュータ上で稼動しているＯＳ等が実際の処理の一部または全部を行い、その処理によって前述した実施の形態の機能が実現される場合も含まれることはいうまでもない。
【００６８】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づいて、その機能拡張ボードや機能拡張ユニットに備わるＣＰＵ等が実際の処理の一部または全部を行い、その処理によって前述した実施の形態の機能が実現される場合も含まれることはいうまでもない。
【００６９】
【発明の効果】
以上説明したように、本発明の請求項１によれば、照射時間を必要最小限にして眩しさを軽減することができる。
【００７０】
本発明の請求項４によれば、サイズ判定精度の維持と眩しさ軽減のいずれを優先させるかを選択することができる。
【図面の簡単な説明】
【図１】本発明の一実施の形態に係る画像読み取り装置の外観図である。
【図２】ＡＢ系の原稿を画像読み取り装置にセットした場合のレイアウトを示す図である。
【図３】インチ系の原稿を画像読み取り装置にセットした場合のレイアウトを示す図である。
【図４】原稿サイズ判定を行う際の原稿載置状態を示す外観図である。
【図５】原稿主走査幅の検出方法を示す概念図である。
【図６】本画像読み取り装置の原稿サイズ検出に関する要素を示すブロック図である。
【図７】ＡＢ系の原稿サイズ検出の検出結果の一例（同図（ａ））及び本装置の左端部を示す図（同図（ｂ））である。
【図８】本装置の側面図（同図（ａ））、白原稿である場合の検出結果（同図（ｂ））及び黒原稿である場合の検出結果（同図（ｃ））である。
【図９】原稿照明光源６１７、ＣＣＤ５０５及びその周辺回路の特性を示す図である。
【図１０】代表的な原稿の読み取りレベルを示す図（同図（ａ））、及び読み取り値と判定基準レベルとの関係を示す図（同図（ｂ））である。
【図１１】表示装置に画面表示されるサービスモード設定画面の一例を示す図である。
【図１２】本実施の形態におけるサイズ検知モード設定処理のフローチャートを示す図である。
【図１３】本実施の形態における原稿サイズ判定処理のフローチャートを示す図である。
【符号の説明】
１０４　第１ミラー台
１０５　圧板
４０１　原稿
５０１　原稿台ガラス（原稿台）
５０５　ＣＣＤ（読み取り手段）
６０９　ＣＰＵ（サイズ判定手段、第１、第２サイズ判定手段）
６１２　表示装置（モード選択手段）
６１３　圧板センサ
６１７　原稿照明光源（照射手段）
Ｐ０　検出ポイント（第１の読み取り位置）
Ｐ１〜Ｐ８　検出ポイント（第２の読み取り位置）
【図１】
2004032075.tif 000003
【図２】
2004032075.tif 000004
【図３】
2004032075.tif 000005
【図４】
2004032075.tif 000006
【図５】
2004032075.tif 000007
【図６】
2004032075.tif 000008
【図７】
2004032075.tif 000009
【図８】
2004032075.tif 000010
【図９】
2004032075.tif 000011
【図１０】
2004032075.tif 000012
【図１１】
2004032075.tif 000013
【図１２】
2004032075.tif 000014
【図１３】
2004032075.tif 000015